(57)【要約】【課題】  ベッドを設置した部屋を他の目的にも充分に有効活用することができる収納型ベッドを提供すること。【解決手段】  本発明の収納型ベッドは、互いに向い合う側面１１ａ、１１ｂの上部にベルト４１またはワイヤを取付ける取付部１２ａ、１２ｂが設けられたベッド本体１０と、支持体２５に回動自在に取り付けられ水平方向に互いに軸が平行な一対のガイドローラ２１ａ、２１ｂに掛けられ、両方の端部４１ａ、４１ｂが取付部１２ａ、１２ｂに着脱自在に取付けられたベルト４１またはワイヤの巻取り巻き戻しによりベッド本体１０を昇降させるベッド昇降機構２０とを備えることとした。【選択図】  図１
2005261886.tif 000002
【特許請求の範囲】
【請求項１】
互いに向い合う側面の上部にベルトまたはワイヤを取付ける取付部が設けられたベッド本体と、支持体に回動自在に取り付けられ水平方向に互いに軸が平行な一対のガイドローラに掛けられ、両方の端部が前記取付部に着脱自在に取付けられた前記ベルトまたはワイヤの巻取り巻き戻しにより前記ベッド本体を昇降させるベッド昇降機構とを備えたことを特徴とする収納型ベッド。
【請求項２】
互いに向い合う側面の上部にベルトまたはワイヤを取付けるベッド側ガイドローラが設けられたベッド本体と、支持体に回動自在に取り付けられ水平方向に互いに軸が平行な一対のガイドローラに掛けられるとともに前記ベッド側ガイドローラに着脱自在に掛けられ、両方の端部が支持体に設けられた固定ピンに固定された前記ベルトまたはワイヤの巻取り巻き戻しにより前記ベッド本体を昇降させるベッド昇降機構とを備えたことを特徴とする収納型ベッド。
【請求項３】
前記一対のガイドローラのいずれかにより前記ベルトまたはワイヤの巻取り巻き戻を行い、前記ベッド本体を昇降させることを特徴とする請求項１または請求項２に記載の収納型ベッド。
【請求項４】
前記ベッド本体は、予め設定したベッド昇降台に複数設置され、前記ベッド昇降台を昇降させることを特徴とする請求項１から請求項３のいずれか１項に記載の収納型ベッド。
【請求項５】
前記ベッド本体または前記ベッド昇降台が上昇したとき、下方への移動を阻止するストッパを前記支持体に設けたことを特徴とする請求項１から請求項４のいずれか１項に記載の収納型ベッド。
【請求項６】
前記ベッド本体の代わりにゆりかごを使用することを特徴とする請求項１から請求項３のいずれか１項に記載の収納型ベッド。
【発明の詳細な説明】
【技術分野】
【０００１】  本発明は、ベッドを設置した部屋を他の目的にも有効活用することができる収納型ベッドに関する。
【背景技術】
【０００２】  ベッドは、一般家庭はもとより病院や保育園などで広く使用されているが、ベッドの設置により部屋が占有されてしまい、他の目的に使用できない場合が多いという問題があった。そのため、ベッドを折畳み式として二つ折りにするものがあるが（例えば、特許文献１参照）、二つ折りに折畳んだとしてもその設置のために部屋が占有されてしまい、やはり部屋を充分に有効活用ができないという問題があった。【０００３】
【特許文献１】      特開平１１−７５９９８号公報
【発明の開示】
【発明が解決しようとする課題】
【０００４】  本発明は、上記に鑑みてなされたものであって、ベッドを設置した部屋を他の目的にも充分に有効活用することができる収納型ベッドを提供することを目的とする。
【課題を解決するための手段】
【０００５】  本発明の収納型ベッドは、互いに向い合う側面の上部にベルトまたはワイヤを取付ける取付部が設けられたベッド本体と、支持体に回動自在に取り付けられ水平方向に互いに軸が平行な一対のガイドローラに掛けられ、両方の端部が前記取付部に着脱自在に取付けられた前記ベルトまたはワイヤの巻取り巻き戻しにより前記ベッド本体を昇降させるベッド昇降機構とを備えることとした。
また、本発明の収納型ベッドは、互いに向い合う側面の上部にベルトまたはワイヤを取付けるベッド側ガイドローラが設けられたベッド本体と、支持体に回動自在に取り付けられ水平方向に互いに軸が平行な一対のガイドローラに掛けられるとともに前記ベッド側ガイドローラに着脱自在に掛けられ、両方の端部が支持体に設けられた固定ピンに固定された前記ベルトまたはワイヤの巻取り巻き戻しにより前記ベッド本体を昇降させるベッド昇降機構とを備えることとした。
また、前記一対のガイドローラのいずれかにより前記ベルトまたはワイヤの巻取り巻き戻を行い、前記ベッド本体を昇降させることとした。
また、前記ベッド本体は、予め設定したベッド昇降台に複数設置され、前記ベッド昇降台を昇降させることとした。
また、前記ベッド本体または前記ベッド昇降台が上昇したとき、下方への移動を阻止するストッパを前記支持体に設けることとした。
さらに、前記ベッド本体の代わりにゆりかごを使用することとした。
【発明の効果】
【０００６】  本発明の収納型ベッドは、互いに向い合う側面の上部にベルトまたはワイヤを取付ける取付部が設けられたベッド本体と、支持体に回動自在に取り付けられ水平方向に互いに軸が平行な一対のガイドローラに掛けられ、両方の端部が前記取付部に着脱自在に取付けられた前記ベルトまたはワイヤの巻取り巻き戻しにより前記ベッド本体を昇降させるベッド昇降機構とを備えることとしたため、不要のときにはベッド本体を天井に収納し、ベッド本体を設置した部屋を他の目的にも充分に有効活用することができる。
また、本発明の収納型ベッドは、互いに向い合う側面の上部にベルトまたはワイヤを取付けるベッド側ガイドローラが設けられたベッド本体と、支持体に回動自在に取り付けられ水平方向に互いに軸が平行な一対のガイドローラに掛けられるとともに前記ベッド側ガイドローラに着脱自在に掛けられ、両方の端部が支持体に設けられた固定ピンに固定された前記ベルトまたはワイヤの巻取り巻き戻しにより前記ベッド本体を昇降させるベッド昇降機構とを備えることとしたため、ベッド本体をより効率的に昇降することができ、不要のときにはベッド本体を天井に収納し、ベッド本体を設置した部屋を他の目的にも充分に有効活用することができる。
また、前記一対のガイドローラのいずれかにより前記ベルトまたはワイヤの巻取り巻き戻を行い、前記ベッド本体を昇降させることとしたため、ベッド本体をより簡潔で効率的に昇降することができ、不要のときにはベッド本体を天井に収納し、ベッド本体を設置した部屋を他の目的にも充分に有効活用することができる。
また、前記ベッド本体は、予め設定したベッド昇降台に複数設置され、前記ベッド昇降台を昇降させることとしたため、複数のベッド本体を同時に昇降することができ、不要のときにはベッド本体を天井に収納し、ベッド本体を設置した部屋を他の目的にも充分に有効活用することができる。
また、前記ベッド本体または前記ベッド昇降台が上昇したとき、下方への移動を阻止するストッパを前記支持体に設けることとしたため、ベッド本体またはベッド昇降台の落下防止を行うこともできる。
さらに、前記ベッド本体の代わりにゆりかごを使用することとしたため、特にゆりかごを多数設置する部屋で他の目的にも充分に有効活用することができる。
【発明を実施するための最良の形態】
【０００７】  以下、本発明の実施の形態の収納型ベッドにつき図を用いて説明する。
【実施例１】
【０００８】  図１は、本発明の第１の実施の形態の収納型ベッドの構成図を示す。
図１に示すように、本発明の第１の実施の形態の収納型ベッドは、互いに向い合う側面の柵部１１ａ、１１ｂのそれぞれの上部パイプ１３ａ、１３ｂの中央にベルト４１の取付用の取付部１２ａ、１２ｂが設けられたベッド本体１０と、ベッド本体１０に設けられた取付部１２ａ、１２ｂにそれぞれ端部４１ａ、４１ｂが取外し可能に取付けられるベルト４１によりベッド本体１０を昇降させるベッド昇降機構２０とで構成されている。ベッド昇降機構２０は、天井の内部に取付けられ、ベッド本体１０は、ベッド昇降機構２０により天井に形成した開口（図示せず）から天井に収納される。
ベッド昇降機構２０は、全体を支持する断面がチャンネル形状の支持体２５が天井の内部に固定され、チャンネル形状の支持体２５には、カイドローラ２１ａ、２１ｂと、カイドローラ２１ａ、２１ｂの中間に配置される巻取りローラ２３とがチャンネル形状の内側に取付けられ、ベルト４１がカイドローラ２１ａ、２１ｂに掛けられるとともに巻取りローラ２３の中心に形成されたスリット部２３ａに挟まれ取付けられている。ベルト４１の両方の端部４１ａ、４１ｂは、折り曲げられて袋形状に形成されており、ベッド本体１０の取付部１２ａ、１２ｂに着脱自在に取付けられる。
巻取りローラ２３には駆動モータ２４が連結し、駆動モータ２４は、回転数を減速しトルクを得るための減速器２４ｂと、減速器２４ｂに直結するＤＣモータ２４ａとで構成され、壁面などに設けられた上昇スイッチ２９ａと下降スイッチ２９ｂとを有する操作スイッチ２９に接続している。
駆動モータ２４は、操作スイッチ２９の上昇スイッチ２９ａが操作されると正転作動し、巻取りローラ２３を正転回動させる。巻取りローラ２３の正転回動により、巻取りローラ２３はスリット２３ａに挟まれたベルト４１を巻き付ける。また、駆動モータ２４は、操作スイッチ２９の下降スイッチ２９ｂが操作されると逆転作動し、巻取りローラ２３を逆転回動させる。巻取りローラ２３の逆転回動により、巻取りローラ２３に巻かれているベルト４１は巻きが解かれ巻戻される。【０００９】  次に、本発明の第１の実施の形態の収納型ベッドの昇降動作につき説明する。
操作スイッチ２９の上昇スイッチ２９ａを操作すると、駆動モータ２４が正転作動し巻取りローラ２３が矢印Ｐに示すように回動する。巻取りローラ２３が矢印Ｐに示すように回動すると、巻取りローラ２３のスリット２３ａにベルト４１が挟まれているため巻取りローラ２３にベルト４１が巻かれ、ベルト４１の両方の端部４１ａ、４１ｂは上昇してベッド本体１０を垂直方向に上昇させ、ベッド本体１０を天井に収納する。
その後ベッド本体１０を下降させるときには、操作スイッチ２９の下降スイッチ２９ｂを操作すると、駆動モータ２４が逆転作動し巻取りローラ２３が逆転回動する。巻取りローラ２３の逆転回動に応じて、巻取りローラ２３に巻かれているスベルト４１の巻きが解かれ巻戻されベッド本体１０は床面まで垂直方向に下降する。ベッド本体１０が床面まで下降したときには、ベルト４１の両方の端部４１ａ、４１ｂをベッド本体１０の取付部１２ａ、１２ｂから取外し、ベルト４１のみを上昇させることもできる。【００１０】  図２は、本発明の第１の実施の形態の収納型ベッドに設置するストッパ装置の構成図を示す。
図２に示すように、本発明の第１の実施の形態の収納型ベッドで設置するストッパ装置３０は、天井の内部に固定される支持体２５に取付ブラッケット３２ａ、３２ｂを介し図１に示すベッド本体１０の下方への移動を阻止するストッパ３１ａ、３１ｂが取付けられたものである。
ベッド本体１０の上部パイプ１３ａ、１３ｂに取付けられた取付部１２ａ、１２ｂがベルト４１（図１参照）の両方の端部４１ａ、４１ｂにより引上げられ、上部パイプ１３ａ、１３ｂが上限まで上昇したとき、ストッパ３１ａ、３１ｂのスライダ３３ａ、３３ｂが上部パイプ１３ａ、１３ｂの下側にスライドして、ベッド本体１０の落下防止を行うことができる。【００１１】  以上述べたごとく、本発明の第１の実施の形態の収納型ベッドは、不要のときにはベッド本体１０を天井に収納し、ベッド本体１０を設置した部屋を他の目的にも充分に有効活用することができ、また、ベッド本体１０の落下防止を行うこともできる。
なお、本発明の第１の実施の形態の収納型ベッドでは、ベルト４１を１本設けたベッド昇降機構２０について述べたが、ベッド昇降機構２０を併設し、２本のベルト４１でベッド本体１０を昇降させることもできる。
【実施例２】
【００１２】  図３は、本発明の第２の実施の形態の収納型ベッドで設置する他のベッド昇降機構の構成図を示す。
図３に示すように、他のベッド昇降機構５０は、カイドローラ５１と、カイドローラ５１に対し水平方向に巻取りローラ５３が断面がチャンネル形状の支持体２５（図１参照）の内側に取付けられ、ベルト４２がカイドローラ５１に掛けられるとともに巻取りローラ５３の中心に形成されたスリット部５３ａに挟まれ取付けられている。さらにベルト４２は、端部側でそれぞれ上部パイプ１３ａ、１３ｂの中央上部に設けられたベッド側ガイドローラ５４ａ、５４ｂに着脱自在に掛けられ、端部がそれぞれ支持体２５に取付けられた固定ビン５５ａ、５５ｂに固定されている。巻取りローラ５３には、本発明の第１の実施の形態の収納型ベッドと同様に駆動モータ（図示せず）が連結し、壁面などに設けられた上昇スイッチ５９ａと下降スイッチ５９ｂとを有する操作スイッチ５９に接続している。【００１３】  次に、本発明の第２の実施の形態の収納型ベッドの昇降動作につき説明する。
操作スイッチ５９の上昇スイッチ５９ａを操作すると、駆動モータが正転作動し巻取りローラ５３が矢印Ｐに示すように回動する。巻取りローラ５３が矢印Ｐに示すように回動すると、巻取りローラ５３のスリット５３ａにベルト４２が挟まれているため巻取りローラ５３にベルト４２が巻かれ、ベッド側ガイドローラ５４ａ、５４ｂは上昇してベッド本体１０を垂直方向に上昇させ、ベッド本体１０を天井に収納する。
その後ベッド本体１０を下降させるときには、操作スイッチ５９の下降スイッチ５９ｂを操作すると、駆動モータが逆転作動し巻取りローラ５３が逆転回動する。巻取りローラ５３の逆転回動に応じて、巻取りローラ５３に巻かれているスベルト４２の巻きが解かれ巻戻されベッド本体１０は床面まで垂直方向に下降する。ベッド本体１０が床面まで下降したときには、ベルト４２をベッド側カイドローラ５４ａ、５４ｂから取外し、ベルト４２のみを上昇させることもできる。【００１４】  以上述べたごとく、本発明の第２の実施の形態の収納型ベッドは、ベルト４２がベッド側カイドローラ５４ａ、５４ｂに着脱自在に掛けられ、折返され端部がそれぞれ支持体２５に取付けられた固定ビン５５ａ、５５ｂに固定されているため、駆動モータのトルクは半分とすることができ、より効率的にベッド本体１０を昇降することができ、不要のときにはベッド本体１０を天井に収納し、ベッド本体１０を設置した部屋を他の目的にも充分に有効活用することができる。
【実施例３】
【００１５】  図４は、本発明の第３の実施の形態の収納型ベッドの構成図を示す。
本発明の第３の実施の形態の収納型ベッドは、４個のベッド本体７０ａ、７０ｂ、７０ｃ、７０ｄをベッドユニット７０として、ベッド昇降機構８０Ａ、８０Ｂにより天井に収納するものである。
図４に示すように、ベッドユニット７０は、ベッド昇降台７１にベッド本体７０ａ、７０ｂ、７０ｃ、７０ｄが設置され、ベッド昇降台７１には各コーナにベルトの取付用の取付部７２ａ、７２ｂ、７２ｃ、７２ｄが設けられている。
ベッド昇降機構８０Ａ、８０Ｂは、駆動モータ８４ａ、８４ｂによりベルト４４ａ、４４ｂを巻き取り巻き戻すもので、ベルト４４ａ、４４ｂの端部４５ａ、４５ｂと端部４６ａ、４６ｂは、折り曲げられて袋形状に形成されており、ベッド昇降台７１の取付部７２ａ、７２ｂ、７２ｃ、７２ｄに着脱自在に取付けられる。【００１６】  駆動モータ８４ａ、８４ｂを正転作動させると、端部４６ａ、４６ｂが取付部７２ａ、７２ｂ、７２ｃ、７２ｄに取付けられたベルト４４ａ、４４ｂが上昇し、ベッドユニット７０は垂直方向に上昇し天井に収納される。
その後駆動モータ８４ａ、８４ｂを逆転作動させると、ベルト４４ａ、４４ｂが下降し、ベッドユニット７０は床面まで垂直方向に下降する。ベッドユニット７０が床面まで下降したときには、ベルト４４ａ、４４ｂの端部４５ａ、４５ｂと端部４６ａ、４６ｂを取付部７２ａ、７２ｂ、７２ｃ、７２ｄから取外し、ベルト４４ａ、４４ｂのみを上昇させることもできる。【００１７】  以上述べたごとく、本発明の第３の実施の形態の収納型ベッドは、４個のベッド本体７０ａ、７０ｂ、７０ｃ、７０ｄをベッドユニット７０として同時に天井に収納することができ、部屋を他の目的にも充分に有効活用することができる。
なお、本発明の第３の実施の形態の収納型ベッドは、４個のベッド本体７０ａ、７０ｂ、７０ｃ、７０ｄをベッドユニット７０に設置することとしたが、４個に限らず複数個設置することができる。また、ベッドユニット７０を天井に収納したとき、図２に示すストッパ装置３０によりベッドユニット７０の下方への移動を阻止することもでき、さらに、ベッド昇降機構８０Ａ、８０Ｂは、図３に示すベッド昇降機構５０を利用することもできる。【００１８】  なお、本発明の実施の形態の収納型ベッドは、ベッド本体１０を昇降させるようにしたが、図５に示すように、ベッド本体１０の代わりにゆりかご６０を使用することもできる。
このゆりかご６０は、対向する両側につり紐６１ａ、６１ｂが取付けられており、ベルト４３の両端部に取付けられたフック４５ａ、４５ｂにつり紐６１ａ、６１ｂが着脱自在に掛けられ、ベルト４３により昇降を行うことができる。
また、本発明の実施の形態の収納型ベッドは、ベッド本体１０やベッドユニット７０を天井に収納することとしたが、ベッド昇降機構２０、５０やベッド昇降機構８０Ａ、８０Ｂを天井の下側に取付け、ベッド本体１０やベッドユニット７０を上昇させたとき天井の下部に配置することもできる。ゆりかご６０についても天井に収納することも、天井の下部に配置することもできる。
さらに、本発明の実施の形態の収納型ベッドは、ベルト４１、４２、４４ａ、４４ｂで昇降させるようにしたが、ワイヤ類で昇降させるようにすることもできる。ゆりかご６０についてもワイヤ類で昇降させるようにすることもできる。
【図面の簡単な説明】
【００１９】
【図１】  本発明の第１の実施の形態の収納型ベッドの構成図を示す。
【図２】  本発明の第１の実施の形態の収納型ベッドに設置するストッパ装置の構成図を示す。
【図３】  本発明の第２の実施の形態の収納型ベッドで設置する他のベッド昇降機構の構成図を示す。
【図４】  本発明の第３の実施の形態の収納型ベッドの構成図を示す。
【図５】  ベッド本体の代わりに使用するゆりかごの構成図を示す。
【符号の説明】
【００２０】１０、７０ａ、７０ｂ、７０ｃ、７０ｄ  ベッド本体
１１ａ、１１ｂ  柵部
１２ａ、１２ｂ  取付部
１３ａ、１３ｂ  上部パイプ
２０、５０、８０Ａ、８０Ｂ  ベッド昇降機構
２１ａ、２１ｂ、５１  カイドローラ
２３、５３  巻取りローラ
２３ａ、５３ａ  スリット部
２４、８４ａ、８４ｂ  駆動モータ
２５  支持体
２９、５９  操作スイッチ
３０  ストッパ装置
３１ａ、３１ｂ  ストッパ
３２ａ、３２ｂ  取付ブラッケット
３３ａ、３３ｂ  スライダ
４１、４２、４３、４４ａ、４４ｂ  ベルト
４１ａ、４１ｂ  ベルトの端部
５４ａ、５４ｂ  ベッド側カイドローラ
５５ａ、５５ｂ  固定ビン
６０  ゆりかご
６１ａ、６１ｂ  つり紐
７０  ベッドユニット
７１  ベッド昇降台
【図１】
2005261886.tif 000003
【図２】
2005261886.tif 000004
【図３】
2005261886.tif 000005
【図４】
2005261886.tif 000006
【図５】
2005261886.tif 000007